(57)【要約】【課題】搬送障害を招くことなく、精度よく通帳の印字面を読み取る。【解決手段】挿入口から搬送された冊子に所定の情報を印刷する冊子プリンタであって、挿入口から印字部まで冊子を搬送する搬送路と、搬送路の幅方向に設けられた開口部を幅方向に動き、冊子の印字面に所定の情報を印字する印字部と、開口部を封止する押さえ部材であって、表面に印字面に付された情報を読み取るセンサが設けられた押さえ部材と、印字部の動作を制御する制御部と、を備える。【選択図】図１Ａ
2019175304.tif 000002
【特許請求の範囲】
【請求項１】
挿入口から搬送された冊子に所定の情報を印刷する冊子プリンタであって、
前記挿入口から印字部まで前記冊子を搬送する搬送路と、
前記搬送路の幅方向に設けられた開口部を前記幅方向に動き、前記冊子の印字面に前記所定の情報を印字する前記印字部と、
前記開口部を封止する押さえ部材であって、表面に前記印字面に付された情報を読み取るセンサが設けられた前記押さえ部材と、
前記印字部の動作を制御する制御部と、
を備えることを特徴とする冊子プリンタ。
【請求項２】
前記制御部は、前記センサが前記印字面に付された情報を読み取る位置まで、前記押さえ部材を前記冊子の印字面の方向に動かすように制御する、
ことを特徴とする請求項１に記載の冊子プリンタ。
【請求項３】
前記制御部は、前記押さえ部材を、前記センサを通過中の前記冊子の印字面の方向に動かして、焦点合わせながら前記印字面に付された情報の取得を繰り返す焦点調整処理を実行する、
ことを特徴とする請求項２に記載の冊子プリンタ。
【請求項４】
前記制御部は、前記印字面が開かれて搬送されてきた前記冊子の搬送方向下流側の印字面である上部印字面と、前記冊子の搬送方向下流側の印字面である下部印字面とのそれぞれについて、前記焦点調整処理を実行する、
ことを特徴とする請求項３に記載の冊子プリンタ。
【請求項５】
前記制御部は、前記センサと前記冊子の印字面の上部との距離を測定し、前記焦点までの距離を演算することにより、前記押さえ部材を前記センサの読み取り位置まで移動させる、
ことを特徴とする請求項３に記載の冊子プリンタ。
【請求項６】
前記センサの前記搬送路の幅方向の長さと前記冊子の幅とが略同じ長さで構成されている、
ことを特徴とする請求項１に記載の冊子プリンタ。
【請求項７】
前記センサの前記搬送路の幅方向の長さと前記冊子の印字面に付された情報の幅とが略同じ長さで構成されている、
ことを特徴とする請求項１に記載の冊子プリンタ。
【請求項８】
前記制御部は、前記冊子の搬送方向下流側に設けられた冊子格納庫から前記印字面が開かれて搬送されてきた前記冊子の印字面に付された情報が所定の位置にあるか否かを判定し、前記冊子の印字面に付された情報が所定の位置にないと判定した場合、画像解析により前記所定の位置と点対象となる反転位置で前記印字面に付された情報を解析する、
ことを特徴とする請求項１に記載の冊子プリンタ。
【請求項９】
前記印字部は、前記反転位置で前記印字面に付された情報を解析できた場合に、前記冊子の印字面に前記所定の情報を印字する、
ことを特徴とする請求項８に記載の冊子プリンタ。
【発明の詳細な説明】
【技術分野】
【０００１】
本発明は、冊子プリンタに関する。
【背景技術】
【０００２】
冊子プリンタは、金融機関における顧客との取引履歴を可視化して確認するために用いる冊子（例えば、通帳）を扱い履歴印字を行うものである。冊子プリンタでは、操作者がどのページを開いていて通帳をプリンタに挿入したかを、通帳のページ毎に貼られたバーコードを検出して判定する機能（ページマーク読み取り）、挿入された通帳が所定の位置に印字されたかどうかを判定する機能（印字済検知）等がある。
【０００３】
一般に、これらの機能を実行するために、通帳ページの表面に印字された情報を読み取る読み取り手段が必要となる。読み取り手段としては、大口径レンズおよび反射板を用いて表面画像を固体撮像素子上に収斂した素子から構成されるイメージリーダを用いたものがある（例えば、特許文献１）。
【０００４】
また、イメージリーダの開口長さに対して、その高さを開口長さの１／１０以下にして焦点距離を短くした薄型（薄型イメージリーダ［ＣＩＳ］）を用いたものがある（例えば、特許文献２）。
【先行技術文献】
【特許文献】
【０００５】
【特許文献１】特開２００１−６０２４３号公報
【特許文献２】特開２０１７−８５４５１号公報
【発明の概要】
【発明が解決しようとする課題】
【０００６】
特許文献２では、薄型イメージリーダの横方向の凸部とその奥行方向にある三点の指示点にて押圧し通帳を把持して通帳表面情報を読み取ることで、綴じ部による段差部をイメージリーダで読み取ることができる。しかし、もともと段差部は印字不可能領域であるので表面情報として読み取られるとは限られなかった。  例えば、図１３Ｂに示すが如き挿入された通帳Ｔが、水平面でなく支持点Ｐで押し上げられるため、隣接する支持点Ｐ間において冊子表面に撓みとなる凹部が発生する（図１３Ｂに示すＡＯ２  が該当）。焦点距離の短い（浅い）薄型イメージリーダＲでは、焦点距離が凹部ではない箇所ＡＯ１となるように設定されているため、凹部での距離ＡＯ２においては固体撮像素子上に画像が結像できず読み取り不良となってしまう問題点があった。
【０００７】
また、特許文献１では、イメージリーダや印字部を左右に摺動させるための鑽孔Ｘ１、Ｘ２が必要であるところ、鑽孔を封止する機能が設けられていない。このため、奥行方向に通帳Ｔを搬送する際に、前縁が少し撓んだ通帳Ｔを挿入すると、鑽孔に通帳Ｔの前縁が接触し搬送障害（紙詰り）Ｘ１’、Ｘ２’になる場合がある。（図１４Ｂ／図１４Ｃ）
このように、通帳等の冊子の印字面の読み取りを精度よく行うことと、搬送障害を生じさせないこととを両立可能な技術が求められていた。
【０００８】
本発明は、搬送障害を招くことなく、精度よく通帳の印字面の読み取りが可能な冊子プリンタを提供することを目的とする。
【課題を解決するための手段】
【０００９】
本発明にかかる冊子プリンタは、挿入口から搬送された冊子に所定の情報を印刷する冊子プリンタであって、前記挿入口から印字部まで前記冊子を搬送する搬送路と、前記搬送路の幅方向に設けられた開口部を前記幅方向に動き、前記冊子の印字面に前記所定の情報を印字する前記印字部と、前記開口部を封止する押さえ部材であって、表面に前記印字面に付された情報を読み取るセンサが設けられた前記押さえ部材と、前記印字部の動作を制御する制御部と、を備えることを特徴とする冊子プリンタとして構成される。
【発明の効果】
【００１０】
本発明によれば、搬送障害を招くことなく、精度よく通帳の印字面の読み取りが可能となる。
【図面の簡単な説明】
【００１１】
【図１Ａ】冊子プリンタの側面図
【図１Ｂ】冊子プリンタの平面図
【図２】冊子プリンタのブロック図
【図３Ａ】冊子プリンタの動作状態図
【図３Ｂ】冊子プリンタの動作状態図
【図３Ｃ】冊子プリンタの動作状態図
【図３Ｄ】冊子プリンタの動作状態図
【図３Ｅ】冊子プリンタの動作状態図
【図３Ｆ】冊子プリンタの動作状態図
【図３Ｇ】冊子プリンタの動作状態図
【図３Ｈ】冊子プリンタの動作状態図
【図４】動作フロー（ページマーク読み取りシーケンス）
【図５】動作フロー（吸入処理）
【図６】動作フロー（冊子上縁紙詰防止処理）
【図７Ａ】動作フロー（焦点調整処理）
【図７Ｂ】動作フロー（焦点調整処理）
【図８】動作フロー（冊子下縁紙詰防止処理）
【図９】冊子細目
【図１０】発行機取り付け側面図（実施例２）
【図１１】発行処理結果（実施例２）
【図１２】動作フロー（実施例２）
【図１３Ａ】従来技術の説明図
【図１３Ｂ】従来技術の説明図
【図１４Ａ】従来技術の説明図
【図１４Ｂ】従来技術の説明図
【図１４Ｃ】従来技術の説明図
【発明を実施するための形態】
【００１２】
この発明の一実施形態を以下図面と共に説明する。
【実施例１】
【００１３】
以下、図１Ａ、図１Ｂ、図２を用いて冊子プリンタの基本動作を説明する。
冊子プリンタ１００は、冊子９００を挿入する挿入口１０３を有し、挿入口１０３を始点とする水平方向の搬送路１０６上であって、図１Ａに示す吸入方向側から配置順に、搬送ローラ対１４０、媒体検知センサ１２０、冊子９００の識別機能を持ち、搬送路１０６の幅方向であるＹ１−Ｙ２方向に動く冊子識別機構１５４と、冊子識別機構１５４を覆う保護扉１５６、搬送ローラ対１４０からの距離が冊子９００の長さより短くなるように配置された搬送ローラ対１４２、搬送されてきた冊子９００を検知する媒体検知センサ１２２を有している。
【００１４】
また、冊子プリンタ１００には、光の反射率を低減するように処置（たとえば黒色塗布）された、搬送路１０６の幅サイズであって、冊子９００に印字するとき鉛直方向（搬送路１０６の搬送面に接離方向）に動くことが可能なプラテン１０８が配置されている。プラテン１０８の鉛直方向には、後述するＣＩＳ（コンタクトイメージセンサ）１０４や印字部１７６を搬送路の幅方向である左右に摺動させるための開口部である鑽孔１１４があり、鑽孔１１４上には印字モータ１７４が回転することにより、上記Ｙ１−Ｙ２方向に摺動して冊子９００の印字面に印字を行う印字ヘッド１７６が設けられている。
【００１５】
また、プラテン１０８の鉛直方向には、少なくとも冊子９００の幅以上であって、印字ヘッド１７６が位置Ｙ１に移動したときに、鑽孔１１４の鉛直下方向であるＺ方向に動くことにより、鑽孔１１４を封止するプラテン押さえ１１０を有している。プラテン押さえ１１０の上側表面には、プラテン１０８の長手方向全域を検知できるように、プラテン１０８および搬送路１０６の幅方向と同程度の幅を有したＣＩＳ１０４が設けられている。
また、ＣＩＳ１０４は、搬送路１０６を搬送されてきた冊子９００の幅方向と略同じ幅となっている。ＣＩＳ１０４は、プラテン押さえ１１０上に設けられた取り付け穴にはめ込められ、プラテン押さえ１１０と一体化され、厚みが奥行方向より薄く、取扱い媒体である冊子９００の表面までの距離が測定可能である。このような構成とすることで、従来のように、イメージリーダＲを実装するための奥行長さＷ（図１３Ａ／図１４Ａ参照）を、印字部のスペースとは別に設ける必要がなくなるため、冊子プリンタ１００の奥行方向の長さを短くすることができる。
【００１６】
なお、以下では、ＣＩＳ１０４がプラテン１０８および搬送路１０６の幅方向と同程度の幅を有している場合について例示しているが、ＣＩＳ１０４の搬送路１０６の幅方向の長さと冊子９００の印字面に付された情報の幅とが略同じ長さとなるようにコンパクトに構成してもよい。例えば、図１Ｂにおいて、向かってプラテン押さえ１１０の下側半分または上側半分のうちの一部の領域に、ＣＩＳ１０４を設けてもよい。
【００１７】
プラテン１０８からさらに下流となる冊子９００の吸入方向には、順に搬送ローラ対１４４、媒体検知センサ１２２と同様の媒体検知センサ１２４、搬送ローラ対１４６、ページめくり機構１９０、搬送ローラ対１４８が配置されている。搬送モータ１５１は、搬送ローラ対群（１４０、１４２、１４４、１４６、１４８）と図示しないベルト歯車伝達機構で接続され、冊子９００を搬送することが可能である。
【００１８】
プラテン押さえ１１０は、鑽孔１１４の搬送方向の両側に設けられたガイド部材１１４Ａ、１１４Ｂに当接することで、鑽孔１１４を封止する。具体的には、プラテン押さえ１１０は、封止状態におけるガイド部材１１４Ａ、１１４Ｂに対応する部位に、鑽孔１１４から冊子９００の搬送方向に向かって延びるつば部１１０Ａ、１１０Ｂを有し、つば部１１０Ａ、１１０Ｂが、それぞれ、ガイド部材１１４Ａ、１１４Ｂに当接することにより、鑽孔１１４が封止される。プラテン押さえ１１０は、プラテン押さえ１１０に取り付けられた図示しないスライダに取り付けられたヒンジピン１１８を介して支持棒１１６に接続される。支持棒１１６は、冊子９００の最大厚より上方位置となる座金に取り付けられた伝達機構１７８を介してプラテンモータ１５２と接続して鑽孔１１４内では上下運動している。本実施例では、プラテンモータ１５２によりプラテン押さえ１１０が上記上下運動をする構成を例示したが、搬送路１０６の位置Ｙ２側に上下運動するアクチュエータ（例えばリニアモータ）を取り付け、さらにプラテン押さえ１１０を取り付けて上下運動させてもよい。
【００１９】
なお、プラテン押さえ１１０は、冊子９００の最少厚となる位置ＢＤＰ３４２（図３Ａ参照）より降下しない位置であって、かつ搬送路１０６と平行（プラテン押さえ１１０の下面と搬送路１０６とが平行）となるはめ込み関係となるように、鑽孔１１４とプラテン押さえ１１０との間の位置関係が制御される。
【００２０】
図２は、冊子プリンタ９００の機能的な構成を示すブロック図である。図２に示すように、冊子プリンタ９００は、上位制御装置２０６に接続された主制御部２０８を有している。主制御部２０８は、搬送制御部２１０、画像記憶部２１８、画像解析部２１４、印刷制御部２１２、冊子識別部２２０に、それぞれ電気的に接続されている。主制御部２０８は、冊子プリンタ１００の各部の造作を制御するプロセッサを有したコントローラである。
【００２１】
搬送制御部２１０は、搬送モータ１５１、媒体検知センサ１２０、媒体検知センサ１２２、媒体検知センサ１２４、プラテンモータ１５２、ＣＩＳ１０４に、それぞれ電気的に接続されている。搬送制御部２１０は、これらの各部の動作を制御するプロセッサを有したコントローラである。
【００２２】
主制御部２０８からの指示によりＣＩＳ１０４から取り込まれた冊子９００の表面情報は、画像記憶部２１８に格納され、画像解析部２１４が、当該表面情報を画像解析処理し、主制御部２０８を介して、上位制御装置２０６に表面情報が送信される。上記表面情報は、例えば、ページ番号を示すページマークおよび当該ページにおける印字済の行番号を含む、冊子９００の印字面に記された情報である。
【００２３】
印刷制御部２１２は、印字モータ１７４、印字ヘッド１７６に、それぞれ電気的に接続されている。
【００２４】
主制御部２０８から、「文字データと文字印字開始命令」を受けたとき、印刷制御部２１２は、文字データを、印字ヘッド１７６の出力形式に適した形式に変換し、搬送制御部２１０が、プラテンモータ１５２を駆動し、プラテン押さえ１１０を印字ヘッド１７６と干渉しない位置に移動させ、印字モータ１７４を駆動し、冊子９００の印字面に印字を行う。
【００２５】
冊子識別部２２０は、冊子識別機構１５４に電気的に接続されている。冊子識別機構１５４とは、冊子９００の印字面あるいは冊子表面に付された磁気ストライプを読み書き、もしくはバーコード情報を読み取る機構である。
【００２６】
以下、図３Ａ〜図９を用いて、冊子プリンタ１００の動作について説明する。
便宜上、ページが開かれた状態の冊子９００において、冊子９００の上縁部から順に、当該上縁部からページマーク９０１までの間である上部厚み測定部ＵＰＴ９１０、印字領域の最上行の上側領域に付されたページマーク９０１、印字領域となる上印字部ＵＰＡ９０５、印字領域の最下行の下側領域となる上部折り目部ＵＰＦ９２０、次ページの印字領域の最上行の上側領域となる下部折り目部ＬＷＦ９３０、次ページの印字領域となる下部印字部ＬＰＡ９３５、および次ページの印字領域の最下行の下側領域となる下部厚み測定部ＬＰＴ９４０とする（図９参照）。
【００２７】
図４において、主制御部２０８は、上位制御装置２０６から、「表面情報読み取り指示」を受け取ったか否かを判定し（Ｓ４００）、上記指示を受け取ったと判定した場合（Ｓ４００；Ｙｅｓ）、搬送制御部２１０と印字制御部２１２に対して、吸入処理を実行する指示をする（Ｓ４１０、図５）。
【００２８】
図５に進み、搬送制御部２１０は、吸入を開始すると（Ｓ５００）、プラテンモータ１５２を回転させてプラテン押さえ１１０を印字ヘッド１７６と干渉しない位置であって、プラテン押さえ１１０の退避位置であるＴＤＰ３４０（図３Ａの状態（Ａ））に移動し、印字ヘッド１７６を搬送路１０６の外側にあたる位置Ｙ１（図１Ｂ参照）へ移動させる（Ｓ５１０、図３Ａ）。
【００２９】
搬送制御部２１０は、センサ１２２がＯＮになってからプラテン押さえ１１０が、上記退避位置ＴＤＰ３４０から最小厚の冊子９００の押さえ位置である位置ＢＤＰ３４２に移動する時間であるＴＸ１を演算する（Ｓ５３０、図３Ｂ）。
【００３０】
搬送制御部２１０は、挿入口１０３に冊子９００が挿入されてセンサ１２０がＯＮとなったか否かを判定し（Ｓ５４０）、センサ１２０がＯＮとなったと判定した場合（Ｓ５４０；Ｙｅｓ、図３Ｂ）、搬送モータ１５１を吸入方向に回転させる（Ｓ５５０）。搬送制御部２１０は、センサ１２２がＯＮとなったか否かを判定し（Ｓ５７０）、センサ１２２がＯＮとなったと判定した場合（Ｓ５５０；Ｙｅｓ、図３Ｃ）、吸入処理を終了させる（Ｓ５８０）。
【００３１】
搬送制御部２１０は、吸入処理（Ｓ４１０）実行後、冊子上縁紙詰防止処理（Ｓ４２０、図６）を行う。
搬送制御部２１０は、搬送モータ１５１がすでに駆動中であるため（Ｓ６１０）、すぐに図示しないタイマにより計時を開始し（Ｓ６２０）、ＴＸ１が経過したか否かを判定する（Ｓ６３０）。搬送制御部２１０は、ＴＸ１が経過したと判定した場合（Ｓ６３０；Ｙｅｓ）、図３Ｃに示す位置ＴＤＰ３４０にあるプラテン押さえ１１０を、位置ＢＤＰ３４２に押し下げ（Ｓ６４０、図３Ｄ）、冊子９００の上縁をプラテン押さえ１１０で挟撃する。すなわち、冊子９００の上縁を、プラテン１０８とプラテン押さえ１１０との間にて挟撃するとともに、プラテン押さえ１１０により鑽孔１１４を封止し、イメージリードを開始するまで挟撃しつづけることにより、たわんだ冊子９００の上縁が鑽孔１１４に接触し紙詰まりが発生することを防止することができる（図１４Ｂ事象の防止）。
【００３２】
搬送制御部２１０は、冊子上縁紙詰防止処理実施後、焦点調整処理（Ｓ４３０／Ｓ７１０、図７Ａ、７Ｂ）を行う。まず、搬送制御部２１０は、あらかじめ定められているプラテン押さえ１１０が冊子９００を押さえつける時間ＴＸ２の計時を開始する（Ｓ７１４）。
【００３３】
搬送制御部２１０は、ＴＸ２が経過したか否かを判定し（Ｓ７１６）、ＴＸ２が経過したと判定した場合（Ｓ７１６；Ｙｅｓ）、冊子９００をたわませずに搬送をＰにさせるため、プラテン押さえ１１０を、上記位置ＢＤＰから最大厚の冊子９００の押さえ位置である位置ＵＶＡ３４４に移動させる（Ｓ７１８、図３Ｅ）。
【００３４】
搬送制御部２１０は、ＣＩＳ１０４を焦点測定モードに切り替え（Ｓ７２０）、ＣＩＳ１０４と冊子９００の上部厚み測定部ＵＰＴ９１０との距離＜Ｆ１＞（不図示）を測定し、焦点（読取）位置＜Ｆ＞（不図示）までの距離を演算（Ｓ７２２）し、上記位置ＵＶＡ３４４からイメージ読み取り位置ＰＦＬ３４６までプラテン押さえ１１０を移動（Ｓ７２４、図３Ｅ）する。イメージ読み取り位置ＰＦＬ３４６は、ＣＩＳ１０４の読み取り面となるセンサ下面から冊子９００の開いたページの上部厚み測定部ＵＰＴまでの距離に基づいて算出された読み取り位置である。このとき、上印字部ＵＰＡ９０５がＣＩＳ１０４を通過中であり、搬送制御部２１０は、焦点を合わせながら、以下説明するように、１行ずつ表面情報の取得を繰り返す。
【００３５】
搬送制御部２１０は、上記動作（焦点位置合わせ）により、ＣＩＳ１０４の焦点が合うため、表面情報読み取り可能となったと見做し、ＣＩＳ１０４を表面測定モードに切り替え（Ｓ７２６）、ページマーク９０１や当該ページにおける印字済の行番号を読み取り、読み取ったページマーク９０１や当該ページにおける印字済の行番号の画像およびその位置を画像記憶部２１８に転送する（Ｓ７２８）。
【００３６】
以降、搬送制御部２１０の制御により、ＣＩＳ１０４は、冊子９００の上印字部ＵＰＡ９０５を引き続き読み取り、搬送制御部２１０は、上印字部ＵＰＡ９０５の行間（例えば図９の３行目と４行目）がＣＩＳ１０４の直下を通過中であるか否かを判定する（Ｓ７３０）。
【００３７】
搬送制御部２１０は、上印字部ＵＰＡ９０５の行間がＣＩＳ１０４の直下を通過中であると判定した場合（Ｓ７３０；Ｙｅｓ）、再度焦点位置合わせを行い（Ｓ７３１／Ｓ７２０）、搬送に伴い変動する冊子９００の厚み変化に対応する。
【００３８】
搬送制御部２１０は、上印字部ＵＰＡ９０５の行間がＣＩＳ１０４の直下を通過中でないと判定した場合（Ｓ７３０；Ｎｏ）、引き続きＣＩＳ１０４の読み取りを続け、Ｓ７２６、Ｓ７２８と同様に、読み取った画像およびその位置を画像記憶部２１８に転送し（Ｓ７３２）、上印字部ＵＰＡ９０５の最下部がＣＩＳ１０４直下を通過したか否かを判定する（Ｓ７３４）。搬送制御部２１０は、上印字部ＵＰＡ９０５の最下部がＣＩＳ１０４直下を通過したと判定した場合（Ｓ７３４；Ｙｅｓ）、上部折り目部ＵＰＦ９２０に達して表面測定域が終了したと見做し、プラテン押さえ１１０を上記最大厚の冊子９００の押さえ位置である位置ＵＶＡ３４４に移動させる（Ｓ７３６、図３Ｆ）。
【００３９】
次に、搬送制御部２１０は、下部折り目部ＬＷＦ９３０の搬送方向の略中点を通過したか否かを判定し（Ｓ７５０）、下部折り目部ＬＷＦ９３０の搬送方向の略中点を通過したと判定した場合（Ｓ７５０；Ｙｅｓ）、プラテン押さえ１１０を位置ＵＶＡ３４４に移動されていることを確認する（Ｓ７５２、図３Ｆ）。このように、上部折り目部ＵＰＦ９２０、下部折り目部ＬＷＦ９３０がＣＩＳ１０４を通過中の場合には、プラテン押さえ１１０を位置ＵＶＡまで上昇していることを確認する。
【００４０】
以下、冊子９００上部での動作と同様な動作（Ｓ７５２−Ｓ７６８）を実施して、下部印字部ＬＰＡ９３５がＣＩＳ１０４を通過中の場合には、焦点合わせながら、表面情報の取得を繰り返し（図３Ｇ）、焦点調整処理を終了する。
【００４１】
搬送制御部２１０は、引き続き、冊子下縁紙詰防止処理（Ｓ４４０／Ｓ８１０、図８）を実施する。搬送制御部２１０は、引き続きＣＩＳ１０４の読み取りを続け（Ｓ８３０）、冊子９００の下部厚み測定部ＬＰＴ９４０の略中点を通過したか否かを判定する（Ｓ８４０）。搬送制御部２１０は、冊子９００の下部厚み測定部ＬＰＴ９４０の略中点を通過したと判定した場合（Ｓ８４０；Ｙｅｓ）、プラテン押さえ１１０を最小厚の冊子９００の押さえ位置である上記位置ＢＤＰ３４２に移動し（Ｓ８５０、図３Ｈ）、冊子９００下縁の折癖を除去し平滑にするため、折癖に伴う紙詰を除去する。
【００４２】
搬送制御部２１０は、下部厚み測定部ＬＰＴ９４０がセンサ１２４を通過したか否かを判定し（Ｓ８６０）、下部厚み測定部ＬＰＴ９４０がセンサ１２４を通過したと判定した場合（Ｓ８６０；Ｙｅｓ）、プラテン押さえ１１０を、プラテン押さえ１１０の退避位置である上記位置ＴＤＰ３４０に移動し（Ｓ８７０）、冊子下縁紙詰防止処理を終了する。
【００４３】
搬送制御部２１０による冊子下縁紙詰防止処理が終了すると、画像解析部２１４は、引き続き、画像解析処理（Ｓ４５０）を実施し、その後、主制御部２０８が、上位制御装置２０６に表面情報（ページマーク番号（ページ番号）および印字済行）を送信する（Ｓ４６０）。
【実施例２】
【００４４】
図１０は、他の実施例の構成を示す図である。図１０では、冊子プリンタ１００の後方（挿入口１０３とは反対側）に、開いた冊子９００を積層した状態である冊子束を格納する冊子格納庫１０１０を有している。冊子格納庫１０１０に格納された冊子束の冊子９００は、ピックアップモータ（不図示）を回転させてピックアップローラ群１０２０を駆動することにより、一冊ずつ分離して繰り出される。当該繰り出しは、主制御部２０８と電気的に接続された冊子発行部２４０（図２）により行われる。
【００４５】
図１１（ａ）は、冊子格納庫１０１０に冊子９００が一冊格納されている場合の図（正転セット）である。この状態で冊子９００に印字を行う手順について、図１２を用いて説明する。
【００４６】
上位制御装置２０６より上位制御装置指示命令１１１０が発行されると、主制御部２０８は、当該指示命令１１１０［冊子発行＋印字データ（’０４−０６−１７  ＡＢＣＤ  ＥＦＪＨ’）  印字開始  ］を受け、冊子発行部２４０および搬送制御部２１０に冊子発行を指示する。
【００４７】
冊子発行部２４０は、当該指示に従って処理を開始し（Ｓ１１００）、挿入口１０３方向に冊子９００を搬送し（図１２、Ｓ１１０５）、搬送モータ１５１を排出方向に駆動開始する（図１２、Ｓ１１１０）。搬送制御部２１０は、センサ１２４がＯＮとなったか否か、すなわち冊子９００が冊子プリンタ１００内部に入ったか否かを判定する（Ｓ１１２０）。搬送制御部２１０は、冊子９００が冊子プリンタ１００内部に入ったと判定した場合（Ｓ１１２０；Ｙｅｓ）冊子発行部２４０の搬送を停止する（Ｓ１１３５）。
【００４８】
搬送制御部２１０は、センサ１２０がＯＮ、すなわち冊子９００が挿入口１０３まで搬送されたか否かを判定し（Ｓ１１４０）、冊子９００が挿入口１０３まで搬送されたと判定した場合（Ｓ１１４０；Ｙｅｓ）、搬送モータ１５１を停止し（Ｓ１１４５）、図４に示したページマーク・印字済読み取りシーケンス（Ｓ４１０〜Ｓ４５０）を実施する（Ｓ１１５０）。
【００４９】
主制御部２０８は、正常にページマーク９０１が読み取れたか否かを判定し（Ｓ１１５５）、正常にページマーク９０１が読み取れたと判定した場合（Ｓ１１５５；Ｙｅｓ）、搬送制御部２１０は、図１１（ｂ）に示す所定印字位置Ｐ１まで冊子９００を印字ヘッド１７６直下に搬送し、印刷制御部２１２で加工された印字データ［’０４−０６−１７  ＡＢＣＤ  ＥＦＪＨ’］を、通常のように挿入口１０３から挿入して冊子９００が搬送されてきた時と同じ向きで（正転）印字する（Ｓ１１６０、図１１（ｂ））。
【００５０】
図１１（ｃ）は、冊子格納庫１０１０に冊子９００が一冊、通常搬送される方向と逆向き格納されている場合の図（反転セット）である。前述の正転セットと同様に、上位制御装置２０６より上位制御装置指示命令１１１０が発行されると、主制御部２０８、搬送制御部２１０は、ページマーク・印字済読み取りシーケンスまでを実施する（Ｓ１１００−Ｓ１１５０）。
【００５１】
しかしながら、反転方向に冊子９００がセットされているため、主制御部２０８は、Ｓ１１５５において、正常にページマーク９０１が読み取れないと判定する（Ｓ１１５５；Ｎｏ）。
【００５２】
このため、画像解析部２１４は、冊子９００が反転セットされていると判断し、画像記憶部２１８内に蓄積されている、ＣＩＳ１０４により読み取られた冊子９００の画像を１８０度反転させた状態で再解析する（Ｓ１１６５）。
【００５３】
主制御部２０８は、画像解析部２１４が、正常にページマーク９０１が読み取れたか否かを判定し（Ｓ１１７０）、画像解析部２１４が、正常にページマーク９０１が読み取れたと判定した場合（Ｓ１１７０；Ｙｅｓ）、搬送制御部２１０は、図１１（ｄ）に示す天地反転印字位置Ｐ１’まで冊子９００を印字ヘッド１７６直下に搬送し、印字データ［’０４−０６−１７ＡＢＣＤＥＦＪＨ’］を、印刷制御部２１２で上下反転加工し、印字ヘッド１７６を介して冊子９００に天地反転印字を行う（Ｓ１１７５）。主制御部２０８は、画像解析部２１４が、正常にページマーク９０１が読み取れなかったと判定した場合（Ｓ１１７０；Ｎｏ）、読み取り失敗と判断し、その旨主制御部２０８に報告する（Ｓ１１８０）。
【００５４】
このように、上記各実施例では、複数の紙葉から構成される冊子を取扱い、冊子表面の状態を読み取り、印字を行い、挿入口１０３から搬送された冊子９００に所定の情報を印刷する冊子プリンタ１００において、上記挿入口から印字部である印字ヘッド１７６まで上記冊子を搬送する搬送路１０６と、上記搬送路の幅方向に設けられた開口部である鑽孔１１４を上記幅方向に動き、冊子９００の印字面に所定の情報を印字する上記印字ヘッド１７６と、上記開口部を封止する押さえ部材であるプラテン押さえ１１０であって、表面に上記印字面に付された情報（例えば、ページマーク番号（ページ番号）や印字済の行番号）を読み取るセンサであるＣＩＳ１０４が設けられた上記プラテン押さえ１１０と、上記印字ヘッド１７６の動作を制御する制御部である主制御部２０８と、を備えるので、搬送障害を招くことなく、精度よく通帳の印字面の読み取りが可能となる。
【００５５】
また、プラテン押さえを持ち冊子を扱う冊子プリンタにおいて、前記冊子表面の上を上下運動するプラテン押さえ上に薄型であることが知られているイメージリーダいわゆるＣＩＳを実装することにより、前記ＣＩＳの焦点距離が短いことを補完し、前記ＣＩＳ実装に必要な搬送路奥行方向の長さを削減し、前記ＣＩＳ実装用の鑽孔を削除できる効果がある。
【００５６】
また、上記主制御部２０８は、上記ＣＩＳセンサ１０４が上記印字面に付された情報を読み取る位置まで、上記プラテン押さえ１１０を冊子９００の印字面の方向に動かすように制御するので、印字ヘッド１７６と競合することなく、鑽孔１１４を封止することができる。
【００５７】
また、上記主制御部２０８は、上記プラテン押さえ１１０を、上記ＣＩＳ１０４を通過中の冊子９００の印字面の方向に動かして、焦点合わせながら上記印字面に付された情報の取得を繰り返す焦点調整処理を実行するので、搬送に伴って変動する冊子９００の厚みの変化に応じて、ＣＩＳ１０４の焦点を調整することができる。
【００５８】
また、上記主制御部２０８は、上記印字面が開かれて搬送されてきた冊子９００の搬送方向下流側の印字面である上部印字面（ＵＰＡ９０５）と、冊子９００の搬送方向下流側の印字面である下部印字面（ＬＰＡ９３５）とのそれぞれについて、上記焦点調整処理を実行するので、各印字面で変動する厚みの変化に応じて、ＣＩＳ１０４の焦点を調整することができる。
【００５９】
また、上記主制御部２０８は、ＣＩＳ１０４と冊子９００の印字面の上部（ＵＰＴ９１０）との距離を測定し、上記焦点までの距離を演算することにより、上記プラテン押さえ１１０を上記ＣＩＳ１０４の読み取り位置まで移動させるので、印字ヘッド１７６と競合することなく、上記印字面に付された情報を精度よく読み取ることができる。
【００６０】
また、上記ＣＩＳ１０４の搬送路１０６の幅方向の長さと冊子９００の幅とが略同じ長さで構成されているので、上記印字面に付された情報が、当該幅方向のどの位置にあっても、当該情報を精度よく読み取ることができる。
【００６１】
また、上記ＣＩＳ１０４の搬送路１０６の幅方向の長さと冊子９００の印字面に付された情報の幅とが略同じ長さで構成されているので、上記印字面に付された情報の位置があらかじめ定められている場合には、ＣＩＳ１０４をコンパクトな構成とすることができるので、低コストで精度のよい読み取りが可能となる。
【００６２】
また、上記主制御部２０８は、冊子９００の搬送方向下流側に設けられた冊子格納庫１０１０から上記印字面が開かれて搬送されてきた冊子９００の印字面に付された情報が所定の位置にあるか否かを判定し、冊子９００の印字面に付された情報が所定の位置にないと判定した場合、画像解析により上記所定の位置と点対象となる反転位置で印字面に付された情報を解析するので、冊子９００が冊子格納庫１０１０に反転方向にセットされた場合でも、上記印字面に付された情報（例えば、ページマーク９０１）を正常に読み取ることができる。
【００６３】
また、印字ヘッド１７６は、上記反転位置で上記印字面に付された情報を解析できた場合に、冊子９００の印字面に上記所定の情報を印字するので、冊子９００が冊子格納庫１０１０に反転方向にセットされた場合でも、上記印字面の正しい位置に上記所定の情報を印字することができる。
【００６４】
なお、本実施例では、冊子発行後の反転印字について示したが、磁気ストライプ書き込みでもバーコードを読み取り、正転もしくは反転かを判別し、正転のときは正転位置の磁気ストライプを書き込む、反転の時は反転位置の磁気ストライプを書き込むことは言うまでもない
【符号の説明】
【００６５】
１００：冊子プリンタ、１０３：挿入口、１０４：ＣＩＳ（コンタクト・イメージ・センサ）、１０６：搬送路、１０８：プラテン、１１０：プラテン押さえ、１１４：鑽孔、１１６：支持棒、１１８：ヒンジピン、１２０：１２２：１２４（媒体検知）センサ、１４０：１４２：１４４：１４６：１４８：搬送ローラ対、１５１：搬送モータ、１５２：プラテンモータ、１５４：冊子識別機構、１５６：保護扉、１７４：印字モータ、１７６：印字ヘッド、１７８：伝達機構、１９０：ページめくり機構、２０６：上位制御装置、２０８：主制御部、２１０：搬送制御部、２１２：印刷制御部、２１４：画像解析部、２１８：画像記憶部、９００：冊子、１０１０：冊子格納庫、１０２０：ピックアップローラ群
【図１Ａ】
2019175304.tif 000003
【図１Ｂ】
2019175304.tif 000004
【図２】
2019175304.tif 000005
【図３Ａ】
2019175304.tif 000006
【図３Ｂ】
2019175304.tif 000007
【図３Ｃ】
2019175304.tif 000008
【図３Ｄ】
2019175304.tif 000009
【図３Ｅ】
2019175304.tif 000010
【図３Ｆ】
2019175304.tif 000011
【図３Ｇ】
2019175304.tif 000012
【図３Ｈ】
2019175304.tif 000013
【図４】
2019175304.tif 000014
【図５】
2019175304.tif 000015
【図６】
2019175304.tif 000016
【図７Ａ】
2019175304.tif 000017
【図７Ｂ】
2019175304.tif 000018
【図８】
2019175304.tif 000019
【図９】
2019175304.tif 000020
【図１０】
2019175304.tif 000021
【図１１】
2019175304.tif 000022
【図１２】
2019175304.tif 000023
【図１３Ａ】
2019175304.tif 000024
【図１３Ｂ】
2019175304.tif 000025
【図１４Ａ】
2019175304.tif 000026
【図１４Ｂ】
2019175304.tif 000027
【図１４Ｃ】
2019175304.tif 000028